(57)【要約】ヘッダーアセンブリ（１００）は、中心コンタクト（１１２）と、中心コンタクトを包囲する誘電体（１１４）と、中心コンタクト及び誘電体を保持する外部ハウジング（１１０）とを含む。外部ハウジングは、回路基板に取付けられ且つケーシングの内側に配置された後部シェル（１２２）を有する。外部ハウジングは、後部シェルから延出する外部コンタクト（１２０）を有し、外部コンタクトは、外部コンタクトの一部がケーシングの外側に配置されるようにケーシングの開口を通って延出する。誘電体は、外部コンタクト内に受容される。外部ハウジングには遮蔽部材（１０４）が結合される。遮蔽部材を外部ハウジングに電気的に接続するために、遮蔽部材は外部コンタクトに係合する。遮蔽部材は、開口においてケーシングに係合するばね指（１９４）を有する。ばね指は、外部ハウジングをケーシングに電気的に接続する。
2015530724.tif 000002
【特許請求の範囲】
【請求項１】
ケーシング（１４）に結合されるように構成されたヘッダーアセンブリ（１００）であって、
長手軸に沿って延出する中心コンタクト（１１２）と、
前記中心コンタクトを包囲する誘電体（１１４）と、
前記中心コンタクト及び前記誘電体を保持する外部ハウジング（１１０）であって、前記外部ハウジングは、回路基板（１０２）に取付けられるように構成され且つ前記ケーシングの内側に配置されるように構成され、前記外部ハウジングは、前記後部シェルから延出する外部コンタクト（１２０）を有し、前記外部コンタクトは、前記外部コンタクトの一部が前記ケーシングの外側に配置された状態で前記ケーシングの開口（１８）を通って延出するように構成され、前記誘電体は、前記外部コンタクト内に収容される前記外部ハウジング（１１０）と、
前記外部ハウジングに結合される遮蔽部材（１０４）であって、前記遮蔽部材は、前記遮蔽部材を前記外部ハウジングに電気的に接続するために前記外部コンタクトに係合し、前記遮蔽部材は、前記開口において前記ケーシングと係合するように構成されたばね指（１９４）を有し、前記ばね指は、前記外部ハウジングを前記ケーシングに電気的に接続するように構成される前記遮蔽部材（１０４）とを含む前記ヘッダーアセンブリ。
【請求項２】
前記遮蔽部材（１０４）は、前記ヘッダーアセンブリを前記ケーシング（１４）に結合する前に前記外部ハウジング（１１０）に結合され、
前記遮蔽部材は、前記外部ハウジングと一体として前記ケーシングに電気的に接続されるように装着される請求項１のヘッダーアセンブリ（１００）。
【請求項３】
前記遮蔽部材（１０４）は、前記外部コンタクト（１２０）と前記後部シェル（１２２）の両方に直接係合する請求項１のヘッダーアセンブリ（１００）。
【請求項４】
前記遮蔽部材（１０４）は、接地指（１７６）を含み、
前記接地指は、回路基板（１０２）の接地回路に係合し且つ電気的に接続されるように構成される請求項１のヘッダーアセンブリ（１００）。
【請求項５】
前記ケーシング（１４）の前記開口（１８）には各ばね指（１９４）の少なくとも一部が入り込み、
前記ばね指は、前記開口を画定する対応する開口壁（２０）に対して付勢される請求項１のヘッダーアセンブリ（１００）。
【請求項６】
前記ばね指（１９４）は、前記ケーシング（１４）と嵌合すると前記後部シェル（１２２）に向かって撓む請求項１のヘッダーアセンブリ（１００）。
【請求項７】
前記後部シェル（１２２）は前壁（１２４）を含み、
前記外部コンタクト（１２０）は、前記前壁から前方に延出し、
前記遮蔽部材（１０４）は、前記ばね指（１９４）が前記後部シェルに沿って後方に延出する状態で前記前壁に対して当接する請求項１のヘッダーアセンブリ（１００）。
【請求項８】
前記遮蔽部材（１０４）は、前記外部コンタクト（１２０）に係合し且つ前記遮蔽部材を前記外部コンタクトに電気的に接続するばねコンタクト（１８８）を含み、
前記ばねコンタクトは、前記遮蔽部材を前記外部ハウジング（１１０）上に締まり嵌めによって保持するために前記外部コンタクトに対してばね付勢される請求項１のヘッダーアセンブリ（１００）。
【請求項９】
前記遮蔽部材（１０４）は、板（１８０）を含み、
前記ばね指（１９４）は、前記板の対応する縁から延出し、
前記板は、貫通する開口（１８６）を有し、
前記開口内にばねコンタクト（１８８）が延出し、
前記ばねコンタクトは、前記遮蔽部材を前記外部コンタクト（１２０）に機械的且つ電気的に接続し、
前記外部コンタクトは、前記開口内に受容され且つ前記開口内の前記ばねコンタクトに係合する請求項１のヘッダーアセンブリ（１００）。
【請求項１０】
前記外部ハウジング（１１０）の前端に結合されたノーズコーン（１１６）を更に含み、
前記ノーズコーンは、前記外部コンタクト（１２０）を包囲し、
前記ノーズコーンは、前記ノーズコーンの外側に沿ってキー（１１８）を有し、
前記遮蔽部材（１０４）は、前記ノーズコーンと前記後部シェルとの間で捕捉される請求項１のヘッダーアセンブリ（１００）。
【発明の詳細な説明】
【技術分野】
【０００１】
本書の主題は、一般に、ヘッダーアセンブリに関する。
【背景技術】
【０００２】
グローバル・ポジショニング・システム（ＧＰＳ）、カーラジオ、携帯電話、エアバッグシステム、及びマルチメディアデバイス等の、数多くの自動車用途のために、無線周波数（ＲＦ）同軸コネクタアセンブリが使用されている。コネクタアセンブリの中には、同軸ケーブルの端部に接続される同軸ケーブルアセンブリがある。同軸ケーブルは、典型的には、外部導体と、内部導体と、誘電体と、被覆即ち外部絶縁体とによって構成される。ケーブルの外部導体及び内部導体は、ジャック又はプラグコネクタであるコネクタの対応する内部コンタクト及び外部コンタクトに電気的に相互接続される。コネクタアセンブリの中には、ケーブルではなく回路基板に接続されるものもある。このような基板取付けアセンブリは、同軸ケーブルアセンブリと相互接続するために、中心コンタクトと、中心コンタクトを包囲する外部コンタクトによって画定される同軸インターフェースを含む。両コンタクトは、回路基板に接続される。
【０００３】
様々な種類のコネクタを標準化し、それによって混乱を回避するために、特定の工業規格が定められている。これらの規格の１つはＦＡＫＲＡと呼ばれる。ＦＡＫＲＡは、ドイツ標準化機構における自動車標準委員会であり、自動車分野における国際標準化の利益を代表している。ＦＡＫＲＡ規格は、正しいコネクタの取付けのためのキーイング及びカラーコーディングに基づくシステムを提供している。ＦＡＫＲＡのコネクタのキーイング及び色識別の特徴は、典型的には、プラスチック又は非導電性材料から成る外部ハウジング上に存在する。ＦＡＫＲＡのコネクタアセンブリでは、同様のジャックキーは、同様のプラグキー溝にのみ接続することができる。ジャックハウジング上のＦＡＫＲＡによって定義された係止部と、プラグハウジング上の協働ラッチによって、コネクタハウジングの確実な配置及びロックが容易になる。
【発明の概要】
【発明が解決しようとする課題】
【０００４】
このコネクタは、自動車ラジオ等の幾つかの用途では、ラジオの筐体に接地されなければならない。しかしながら、外部ハウジングは非導電性なので、現在のコネクタは、コネクタを筐体に接地するための別体の手段が必要である。加えて、筐体の開口から装着されるコネクタはサイズが大きいため、筐体の開口は大きく、ＥＭＩ漏洩の領域である。この開口を閉塞し、ラジオの遮蔽を行うために、典型的には、コネクタがデバイス内に配置された後に、筐体のパネルにプレートが固定される。パネルへのプレートの組み付けは、時間が掛かり、困難である。
【課題を解決するための手段】
【０００５】
上記問題は、本書に記述される、筐体パネルの開口の遮蔽を確実に提供するヘッダーアセンブリによって解決される。前記ヘッダーアセンブリは、ケーシングに結合されるように構成される。前記ヘッダーアセンブリは、長手軸に沿って延出する中心コンタクトと、前記中心コンタクトを包囲する誘電体と、前記中心コンタクト及び前記誘電体を保持する外部ハウジングとを含む。前記外部ハウジングは、回路基板に取付けられるように構成され且つ前記ケーシングの内側に配置されるように構成された後部シェルを有する。前記外部ハウジングは、前記後部シェルから延出する外部コンタクトを有し、前記外部ハウジングは、前記外部コンタクトの一部が前記ケーシングの外側に配置された状態で前記ケーシングの開口を通って延出するように構成される。前記誘電体は前記外部コンタクト内に収容される。前記外部ハウジングには遮蔽部材が結合される。前記遮蔽部材を前記外部ハウジングに電気的に接続するために、前記遮蔽部材は、前記外部コンタクトに係合する。前記遮蔽部材は、前記開口において前記ケーシングに係合するように構成されたばね指を有する。前記ばね指は前記外部ハウジングを前記ケーシングに電気的に接続するように構成される。
【図面の簡単な説明】
【０００６】
本発明は、添付の図面を参照して一例として記述される。
【０００７】
【図１】一例示的実施形態に従って形成されたヘッダーアセンブリを利用する同軸コネクタシステムを正面から見た斜視図である。
【０００８】
【図２】ヘッダーアセンブリの分解された斜視図である。
【０００９】
【図３】ヘッダーアセンブリのための遮蔽部材の正面図である。
【００１０】
【図４】ヘッダーアセンブリの正面図である。
【００１１】
【図５】ヘッダーアセンブリの側断面図である。
【００１２】
【図６】ヘッダーアセンブリの平断面図である。
【発明を実施するための形態】
【００１３】
図１は、例示的実施形態に従って形成されたヘッダーアセンブリ１００を用いた同軸コネクタシステム１０を正面から見た斜視図である。同軸コネクタシステム１０は、システム１０の部品を収容するケーシング１４を有する、ラジオ等のデバイス１２を含む。ケーシング１４は、壁即ちパネル１６によって画定される。１つ以上のパネル１６は、ヘッダーアセンブリ１００が通って延出する１つ以上の開口１８を含む。開口１８は、対応する開口壁２０によって画定される。例えば、パネル１６及び開口は、開口１８を形成するために開口壁２０が内側に曲げられた状態に打ち抜かれて曲げられる。開口１８は、開口１８からヘッダーアセンブリ１００を装着するための大きさに設定される。ヘッダーアセンブリ１００は、対応するコネクタアセンブリ（図示せず）と嵌合するためにデバイス１２の外側に存在する。
【００１４】
ヘッダーアセンブリ１００は、回路基板１０２に取付けられ、この回路基板１２は、自動車用等の通信システムの一部を形成することができる。例えば、通信システムは、グローバル・ポジショニング・システム（ＧＰＳ）、カーラジオ、携帯電話、エアバッグシステム、マルチメディアデバイスシステム等の自動車用途に使用される。このシステムは、航空用途、海洋用途、軍事用途、工業用途等の他の種類の用途に利用することができる。回路基板１０２は、アンテナの一部を形成することができる。回路基板１０２は、無線周波数（ＲＦ）システムの一部を形成することができる。
【００１５】
図示の実施形態では、ヘッダーアセンブリ１００は、対応するプラグアセンブリ（図示せず）と嵌合されるように構成されたジャックアセンブリを構成する。一例示的実施形態では、ヘッダーアセンブリ１００は、ＦＡＫＲＡの標準化コネクタ等の標準化コネクタである。ヘッダーアセンブリ１００は、所望のＦＡＫＲＡの仕様に従って設計された特徴を有する。例えば、ヘッダーアセンブリ１００は、特定のキーイング構成を有する。
【００１６】
ヘッダーアセンブリ１００は、ヘッダーアセンブリ１００に取付けられる遮蔽部材１０４を含む。遮蔽部材１０４は、ヘッダーアセンブリ１００が装着される開口１８において遮蔽を行うために用いられる。開口１８は、パネル１６とヘッダーアセンブリ１００との間に大きな間隔を空けながらヘッダーアセンブリ１００の一部を受容するように拡大されることができる。遮蔽部材１０４は、開口１８の遮蔽を行うために、このような間隔に跨って延出する。遮蔽部材１０４は、ヘッダーアセンブリ１００をパネル１６に電気的に接続するために使用される。例えば、遮蔽部材１０４は、パネル１６とヘッダーアセンブリ１００との間の直接的な電気経路を形成する。
【００１７】
図２は、ヘッダーアセンブリ１００の分解された斜視図である。ヘッダーアセンブリ１００は、外部ハウジング１１０と、中心コンタクト１１２と、誘電体１１４と、遮蔽部材１０４と、ノーズコーン１１６とを含む。中心コンタクト１１２及び誘電体１１４は、外部ハウジング１１０に受容される。遮蔽部材１０４は、外部ハウジング１１０に結合される。ノーズコーン１１６は、相手コネクタ（図示せず）用の嵌合インターフェースを画定するために外部ハウジング１１０の前面に結合される。ノーズコーン１１６は、外部コンタクト１２０を受容して包囲する。
【００１８】
一例示的実施形態では、ノーズコーン１１６は、ＦＡＫＲＡの仕様に従ってキーイングされたインターフェースを提供する。例えば、ノーズコーン１１６は、その外表面上にキー１１８を含む。キー１１８のサイズ、形状や向きは、異なるＦＡＫＲＡのインターフェースを画定するために使用することができる。ヘッダーアセンブリ１００の嵌合端は、ＦＡＫＲＡに準拠したコネクタを定義する。他の実施形態では、ヘッダーアセンブリ１００は、異なる規格に対してすなわち異なる種類の嵌合コネクタに嵌合するように設計されてもよい。
【００１９】
外部ハウジング１１０は、外部コンタクト１２０と後部シェル１２２を有する。外部ハウジング１１０は、金属材料等の導電性材料から製造される。例示的実施形態では、外部ハウジング１１０は、ダイカスト鋳造されているが、外部ハウジング１１０は、他の実施形態では、打ち抜き及び曲げ等の他の加工によって製造されてもよい。外部ハウジング１１０は、遮蔽部材１０４を介して、回路基板１０２（図１に示す）、相手コネクタ、及びパネル１６（図１に示す）等に電気的に接地されるように構成される。外部ハウジング１１０は、中心コンタクト１１２の全長に沿って中心コンタクト１１２の電気遮蔽を行う。
【００２０】
後部シェル１２２は略箱型であるが、他の実施形態では、後部シェル１２２は、他の形状を有することができる。図示の実施形態では、後部シェル１２２は前壁１２４を含む。後部シェル１２２は、開口した底部１２８と反対側に上壁１２６を含む。後部シェル１２２は、前壁１２４から後方に延出する側壁１３０を含む。後部シェル１２２の壁は、中心コンタクト１１２を受容するレセプタクル１３２を画定する。
【００２１】
後部シェル１２２は、レセプタクル１３２及び中心コンタクト１１２の周囲で電気遮蔽を行う。後部シェル１２２の開口底部１２８は、回路基板１０２に直接取付けることができる。中心コンタクト１１２は、後部シェル１２２内に延出し、回路基板１０２への接続のために開口した底部１２８に沿って露出する。例えば、中心コンタクト１１２は、回路基板１０２にはんだ付けされること等によって、回路基板１０２に表面実装されることができる。
【００２２】
後部シェル１２２は、底部１２８から延出する取付けポスト１３４を含む。取付けポスト１３４は、回路基板１０２に対して外部ハウジング１１０を位置決めするために、回路基板１０２の対応する開口内に装着することができる。取付けポスト１３４は回路基板１０２に電気的に接続することができる。例えば、回路基板１０２の開口には、めっきが施され、取付けポスト１３４は、その開口内にはんだ付けされる。他の実施形態では、回路基板に対する外部ハウジング１１０の位置決めや固定を行うために、その他の種類の機能部を設けることができる。
【００２３】
外部コンタクト１２０は、後部シェル１２２の前壁１２４から前方に延出する。任意で、外部コンタクト１２０は円筒形状とすることができる。外部コンタクト１２０は、誘電体１１４を収容する穴１４０を含む。誘電体１１４は、外部コンタクト１２０の穴１４０内に保持され、中心コンタクト１１２の電気遮蔽を行うために中心コンタクト１１２を包囲する。
【００２４】
一例示的実施形態では、外部コンタクト１２０は、後部シェル１２２の前壁１２４に近接する取付けフランジ１４２を含む。取付けフランジ１４２は、遮蔽部材１０４を外部ハウジング１１０に取付けるために使用される。一例示的実施形態では、外部コンタクト１２０は、後部シェル１２２の前壁１２４に近接するノーズコーンラッチ１４４を含む。ノーズコーンラッチ１４４は、ノーズコーン１１６を外部ハウジング１１０に取付けるために使用される。
【００２５】
中心コンタクト１１２は、嵌合端１５０と接続端１５２との間に延出する。図示の実施形態では、嵌合端１５０はピンを構成しているが、他の実施形態では、その他の種類の嵌合インターフェースを設けることができる。例えば、嵌合端１５０は、ソケット、ブレード、可撓性ばね梁、又はその他の種類の嵌合インターフェースである。接続端１５２は、回路基板１０２に接続されるように構成される。任意で、接続端１５２は、はんだボール、可撓性ばね、又はその他の種類のインターフェースを使用するなどして、回路基板１０２に表面実装されることができる。他の実施形態では、接続端１５２は、回路基板１０２の対応するバイアに対するスルーホール実装のためのストレートピン又はニードルアイ型のピン等のコンプライアントピンを含むことができる。
【００２６】
誘電体１１４は、プラスチック材料等の非導電性材料から製造される。誘電体１１４は、射出成形法で製造することができる。誘電体１１４は、前部１６０と後部１６２との間に延在する。一例示的実施形態では、誘電体１１４は円筒形状である。誘電体１１４は、前部１６０と後部１６２との間に延在する穴１６４を含む。穴１６４は、内部に中心コンタクトを受容する。
【００２７】
一例示的実施形態では、誘電体１１４は、誘電体１１４の外面に沿って長手方向に延出在するリブ１６６を含む。リブ１６６は、外部コンタクト１２０の穴１４０内に誘電体１１４を位置決めするために使用されることができる。リブ１６６は、外部コンタクト１２０内で誘電体１１４の回転を防止することができる。
【００２８】
ノーズコーン１１６は、プラスチック材料等の非導電性材料から製造される。ノーズコーン１１６は、射出成形法によって製造されることができる。ノーズコーン１１６は、略円筒形状であり、前部１７０と後部１７２との間に延在する。ノーズコーン１１６は、前部１７０と後部１７２との間に穴１７４を含む。ノーズコーン１１６は、外部コンタクト１２０が穴１７４に受容されるように、外部ハウジング１１０の前部に装着されるように構成される。キー１１８は、ノーズコーン１１６の外表面に沿って延出する。
【００２９】
遮蔽部材１０４は、遮蔽部材１０４が、ヘッダーアセンブリ１００のケーシング１４（図１に示す）及びその他の部品の遮蔽を行うように外部ハウジング１１０に結合されるように構成される。遮蔽部材１０４は、ケーシング１４と外部ハウジング１１０との間の導電路を形成することができる。遮蔽部材１０４は、回路基板１０２とケーシング１４との間の導電路を形成することができる。遮蔽部材１０４は、略、後部シェル１２２とノーズコーン１１６との間で外部ハウジング１１０に結合されるように構成される。遮蔽部材１０４は、遮蔽部材１０４が外部コンタクト１２０に電気的且つ機械的に接続されるように外部コンタクト１２０に結合される。
【００３０】
遮蔽部材１０４は、金属材料等の導電性材料から製造される。遮蔽部材１０４は、打ち抜き及び曲げ加工によって製造することができる。遮蔽部材１０４は、前側１８２と後側１８４を有する板１８０を含む。板１８０は、貫通する開口１８６を含み、開口１８６内には、ばねコンタクト１８８が延出している。ばねコンタクト１８８は、板１８０と一体形成されることができる。例えば、ばねコンタクト１８８は、板１８０から打ち抜くことができる。ばねコンタクト１８８は、板１８０に対して可撓性とすることができる。任意で、ばねコンタクト１８８は、板１８０によって画定される平面の内側に向けられることができる。
【００３１】
遮蔽部材１０４が外部ハウジング１１０に結合されると、外部コンタクト１２０は、開口１８６を通って延出し、ばねコンタクト１８８は、遮蔽部材１０４を外部ハウジング１１０に機械的且つ電気的に接続するために外部コンタクト１２０と係合する。ばねコンタクト１８８は、外部コンタクト１２０の外表面に対してばね付勢されることができる。ばねコンタクト１８８は、ばねコンタクト１８８と外部コンタクト１２０との間の締まり嵌めによって、遮蔽部材１０４を外部コンタクト１２０上に保持することができる。
【００３２】
一例示的実施形態では、開口１８６は、外部ハウジング１１０の対応する取付けフランジ１４２を受容する切り込み１９０を含む。切り込み１９０は、外部コンタクト１２０に対して遮蔽部材１０４を整合させるために使用されることができる。取付けフランジ１４２が切り込み１９０内に受容されると、遮蔽部材１０４の回転を規制することができる。任意で、ばねコンタクト１８８は、切り込み１９０の一部を決定することができる。
【００３３】
板１８０は、外縁１９２を含む。縁１９２では板１８０から複数のばね指１９４が延出することができる。ばね指１９４は、板１８０によって画定される平面に対して傾斜して曲げることができる。ばね指１９４は、後方に曲げることができる。或いは、ばね指１９４は、前方に曲げることができる。遮蔽部材１０４が外部ハウジング１１０に結合されると、ばね指１９４は、後部シェル１２２に沿って延出することができる。ばね指１９４は、ヘッダーアセンブリ１００がケーシング１４に結合されるとケーシング１４に対してばね付勢されるように構成される。ばね指１９４は、遮蔽部材１０４とケーシング１４の間に接地経路の一部を形成する。ばね指１９４は、遮蔽部材１０４とケーシング１４との間の物理的接触を確保するためにケーシング１４に対してばね付勢することができる。
【００３４】
一例示的実施形態では、遮蔽部材１０４は、板１８０の対応する縁１９２から延出する複数の接地指１９６を含む。これらの接地指１９６は、回路基板１０２の接地回路に係合され、且つ電気的に接続されるように構成される。例えば、接地指１９６は、回路基板１０２の接地層に接続するように回路基板に直接的に係合することができる。接地指１９６は、回路基板１０２のパッド即ち接地平面の一部に対してばね付勢されることができる。
【００３５】
図３は、遮蔽部材１０４の正面図である。開口１８６は、開口１８６の一部を画定する湾曲した内表面２０２を有する固定区域２００を有する。切り込み１９０は、固定区域２００の側部に沿って配置される。外部コンタクト１２０（図２に示す）上に遮蔽部材１０４を装着する際のノーズコーンラッチ１４４（図２に示す）のための隙間を設けるために、切欠き２０４が設けられる。切欠き２０４は、固定区域２００とばねコンタクト１８８との間に配置される。切り込み１９０は、固定区域２００とばねコンタクト１８８との間に配置される。
【００３６】
固定区域２００の内表面２０２は、外部コンタクト１２０の直径に対応する距離２０６だけ離間している。距離２０６は、外部コンタクト１２０が開口１８６を通ることができるように、外部コンタクト１２０の直径よりも僅かに大きくてもよい。ばねコンタクト１８８は、開口１８６の一部を画定する内表面２０８を有する。内表面２０８は、距離２０６未満の距離２１０だけ離間している。距離２１０は、外部コンタクト１２０の直径未満でもよい。遮蔽部材１０４が外部コンタクト１２０に結合されると、ばねコンタクト１８８は、外部コンタクト１２０によって半径方向外方に少なくとも部分的に撓むことができる。かかる撓みにより、ばねコンタクト１８８は、遮蔽部材１０４を外部コンタクト１２０に機械的且つ電気的に接続するように外部コンタクト１２０に対してばね付勢される。一例示的実施形態では、ばねコンタクト１８８の半径方向外方に、撓み窓２１２が設けられている。撓み窓２１２により、遮蔽部材１０４が外部コンタクト１２０に結合された時にばねコンタクト１８８が撓むための空間が提供される。
【００３７】
図４は、ヘッダーアセンブリ１００の正面図である。組み立てられると、中心コンタクト１１２は、誘電体１１４内に装着され、誘電体１１４及び中心コンタクト１１２は、外部ハウジング１１０の外部コンタクト１２０内に装着される。遮蔽部材１０４は、外部ハウジング１１０に結合される。ノーズコーン１１６は、遮蔽部材１０４の前方で外部ハウジング１１０に結合される。遮蔽部材１０４、外部ハウジング１１０、中心コンタクト１１２、誘電体１１４、及びノーズコーン１１６は、一体としてケーシング１４（図１に示す）に取付けられるすなわち結合されるように構成される。
【００３８】
パネル１６（図１に示す）の開口１８（図１に示す）は、ノーズコーン１１６が貫通するように受容するのに十分な大きさに設定される。開口１８を閉塞するために、遮蔽部材１０４は大きめにし、ノーズコーン１１６よりも実質的に大きい。例えば、板１８０の縁１９２同士は、ノーズコーン１１６の直径に略等しい又はそれよりも大きい距離だけ離間される。遮蔽部材１０４は、ばね指１９４が、開口１８を閉塞するためにパネル１６と係合するように、開口１８内に少なくとも部分的に受容されるように構成される。或いは、遮蔽部材１０４は、開口１８内に受容されるのではなく、パネル１６の内側に係合し、開口１８を効果的に閉塞してもよい。
【００３９】
図５は、ヘッダーアセンブリ１００の側断面図である。図６は、ヘッダーアセンブリ１００の平断面図である。図５及び図６は両方ともケーシング１４の一部を図示しており、ヘッダーアセンブリ１００が装着方向１９８に開口１８内に装着される様子を示す。ヘッダーアセンブリは、遮蔽部材１０４が開口１８からのＥＭＩ漏洩を減少又はなくすために開口１８を効果的に電気的に閉塞した状態で遮蔽部材１０４が開口１８内で整合されるまで挿入されるように構成される。
【００４０】
中心コンタクト１１２は、誘電体１１４内に受容され、誘電体１１４によって支持された状態で示されている。誘電体１１４は、外部コンタクト１２０内に受容され、外部コンタクト１２０によって支持された状態で示されている。中心コンタクト１１２は、前壁１２４の後方に向かって、後部シェル１２２のレセプタクル１３２内に延出している。中心コンタクト１１２の接続端１５２は、後部シェル１２２の底部１２８と同一平面上にある。ヘッダーアセンブリ１００が回路基板１０２に取付けられると、底部１２８は、回路基板１０２上に載置され、中心コンタクト１１２の接続端１５２もまた、回路基板１０２への表面実装のために回路基板１０２上に載置される。後部シェル１２２の上壁１２６の開口２２０により、接続端１５２を回路基板１０２にはんだ付けするため等に接続端１５２に接触することが可能になる。
【００４１】
ノーズコーン１１６は、外部ハウジング１１０に結合される。例えば、ノーズコーンラッチ１４４は、ノーズコーン１１６を外部ハウジング１１０に固定するために、ノーズコーン１１６のフランジ２２２を捕捉する。外部コンタクト１２０は、ノーズコーン１１６の穴１７４内に延出し、相手コネクタアセンブリに嵌合されるように構成される。
【００４２】
ヘッダーアセンブリ１００が開口１８内に完全に着座すると、遮蔽部材１０４は、ノーズコーン１１６と後部シェル１２２の前壁１２４との間で捕捉される。板１８０の後側１８４は前壁１２４に当接する。一例示的実施形態では、遮蔽部材１０４は、遮蔽部材１０４と後部シェル１２２との間の電気的インターフェースを提供するように後部シェル１２２に直接的に係合している。
【００４３】
ばね指１９４は、後部シェル１２２に沿って後方に延出在する。ヘッダーアセンブリ１００をケーシング１４内に装着する前に、ばね指１９４は、後部シェル１２２に対して角度２２４に曲げられる。ヘッダーアセンブリ１００が開口１８内に一旦装着されると、ばね指１９４は開口壁２０に係合する。開口壁２０は、ばね指１９４を後部シェル１２２に向かって撓ませる。ばね指１９４は、このようにして、ケーシング１４に対してばね付勢される。例えば、ばね指１９４は、ばね指１９４が外部ハウジング１１０の外側に沿って長手方向に延出在するように撓ませる。任意で、ばね指１９４は、ばね指１９４が外部ハウジング１１０の後部シェル１２２に略平行に延出するように、撓むことができる。他の実施形態では、ばね指１９４は、開口１８内に受容されるのではなく、開口１８を通って遮蔽を行うために開口１８を被覆しながらケーシング１４の内側に係合するように構成することができる。
【００４４】
ばね指１９４が一旦撓むと、ばね指１９４は、パネル１６の開口壁２０に対して付勢される。ばね指１９４のばね力により、ヘッダーアセンブリ１００とケーシング１４との間の電気的接続を維持するためにばね指１９４とパネル１６との間の直接的な物理的接触が維持される。遮蔽部材１０４は、開口１８からのＥＭＩ漏洩を減少したりなくしたりするために開口１８を閉鎖する。遮蔽部材１０４は、ヘッダーアセンブリ１００の一部であり、ノーズコーン１１６及び外部ハウジング１１０と一体として開口１８内に装着されるので、開口１８を閉鎖するように容易に配置される。従来のシステムのように、ヘッダーアセンブリ１００が所定の位置に設置された後に、開口を被覆するために更なる板を取付ける必要がない。デバイス１２が複数のヘッダーアセンブリ１００を必要とする場合、ケーシング１４の各対応する開口１８は、対応するヘッダーアセンブリ１００自体によってすなわち遮蔽部材１０４によって閉塞される。組み立て時間が削減され、デバイス１２を組み立てるための部品が少なくて済む。
【００４５】
当然のことながら、上記の記述は一例であって、制限的なものではない。例えば、上述の実施形態（やその態様）は、互いに組み合わせて使用することができる。更に、本発明の範囲から逸脱することなく、その教示に特定の状況又は材料を適応させるために、多くの変更をなすことができる。材料の寸法、種類、様々な部品の向き、及び本書に記述された様々な部品の個数及び位置は、特定の実施形態のパラメータを定義することを意図するものであり、決して限定するものではなく、例示的実施形態に過ぎない。本請求項の精神及び範囲内の多くの他の実施形態及び変形は、上記の記述を再検討することにより、当業者には明らかである。
【図１】
2015530724.tif 000003
【図２】
2015530724.tif 000004
【図３】
2015530724.tif 000005
【図４】
2015530724.tif 000006
【図５】
2015530724.tif 000007
【図６】
2015530724.tif 000008
【国際調査報告】
2015530724.tif 000009
2015530724.tif 000010
2015530724.tif 000011